(57)【要約】【課題】携帯型オーディオ機器で音楽等を聴いている場合であっても携帯型電話機への着信を認識可能にする。【解決手段】ヘッドフォン１１を接続する音声出力端子を有しオーディオ信号を再生可能な外部機器１２と、外部機器１２に有線接続されオーディオ信号を受信する送受信装置１３と、携帯型電話機１４とを備え、この携帯型電話機１４と送受信装置１３とを無線通信により接続することにより、外部機器１２からのオーディオ信号を出力するヘッドフォン１１において携帯型電話機１４の着呼が認識できるようにする。【選択図】　図１
2004120314.tif 000002
【特許請求の範囲】
【請求項１】
スピーカを接続する音声出力端子を有しオーディオ信号を再生可能な外部機器と、
着呼信号を無線通信により送信する無線送信手段を有する携帯型電話機と、
上記外部機器に接続する接続手段と上記無線送信手段から無線通信により送信された着呼信号を受信する無線受信手段とを有し、上記無線受信手段により受信した上記携帯型電話機への着呼信号を上記外部機器を介して上記スピーカに送る送受信装置と
を備える通話システム。
【請求項２】
上記無線通信は、ブルートゥース（登録商標）に準拠した近距離無線通信であることを特徴とする請求項１記載の通話システム。
【請求項３】
上記スピーカは、頭部装着型スピーカであることを特徴とする請求項１記載の通話システム。
【請求項４】
オーディオ信号を再生可能な外部機器と、
着呼信号を無線通信により送信する及び音声信号を無線通信により受信する電話機側無線送受信手段を有する携帯型電話機と、
外部音声を入力するマイクロフォンを有する音声出力部と、
上記外部機器において再生されたオーディオ信号を入力するオーディオ信号入力手段と、上記マイクロフォンから出力された外部音声信号を入力する音声信号入力手段と、上記無線送受信手段から無線通信により送信された着呼信号を受信する及び上記外部音声信号を無線通信により上記無線送受信手段に送信する装置側無線送受信手段と、上記オーディオ信号及び上記着呼信号を上記音声出力部に対して出力する信号出力手段とを有する送受信装置と
を備える通話システム。
【請求項５】
上記無線通信は、ブルートゥース（登録商標）に準拠した近距離無線通信であることを特徴とする請求項２記載の通話システム。
【請求項６】
上記音声出力部は、頭部装着型スピーカであることを特徴とする請求項１記載の通話システム。
【発明の詳細な説明】
【０００１】
【発明の属する技術分野】
本発明は、通話システムに関し、特に無線通信可能な携帯型電話機からの着呼信号をヘッドフォン等に出力する通話システムに関する。
【０００２】
【従来の技術】
従来、コンパクトディスク、ミニディスクといったディスク状記録媒体、テープカセット、半導体メモリ等に記録された音楽コンテンツを再生し、ヘッドフォンにより聴くことができる携帯型オーディオ機器が普及しつつある。また近年では、携帯型電話機の普及も著しい。
【０００３】
【発明が解決しようとする課題】
ところが、これらの電子機器を同時に携帯しているユーザが増えてきているが、このような携帯型オーディオ機器で再生した音楽コンテンツを視聴している場合、ユーザは、携帯型電話機への着信に気付かず取り逃すことがあった。
【０００４】
そこで本発明は、上述のような課題に鑑みてなされたものであり、携帯型オーディオ機器で音楽等を聴いている場合であっても、携帯型電話機への着信を認識可能にするとともに携帯型電話機での通話を可能とする通話システムを提供することを目的とする。
【０００５】
【課題を解決するための手段】
上述の目的を達成するために、本発明に係る通話システムをスピーカを接続する音声出力端子を有しオーディオ信号を再生可能な外部機器と、着呼信号を無線通信により送信する無線送信手段を有する携帯型電話機と、外部機器に接続する接続手段と無線送信手段から無線通信により送信された着呼信号を受信する無線受信手段とを有し、無線受信手段により受信した携帯型電話機への着呼信号を外部機器を介してスピーカに送る送受信装置とから構成する。
【０００６】
無線通信としては、ブルートゥース（登録商標）に準拠した近距離無線通信を用いることが好ましい。また、スピーカは、頭部装着型スピーカであってもよい。
【０００７】
また、上述の目的を達成するために、本発明に係る通話システムをオーディオ信号を再生可能な外部機器と、着呼信号を無線通信により送信する及び音声信号を無線通信により受信する電話機側無線送受信手段を有する携帯型電話機と、外部音声を入力するマイクロフォンを有する音声出力部と、外部機器において再生されたオーディオ信号を入力するオーディオ信号入力手段と、マイクロフォンから出力された外部音声信号を入力する音声信号入力手段と、無線送受信手段から無線通信により送信された着呼信号を受信する及び外部音声信号を無線通信により無線送受信手段に送信する装置側無線送受信手段と、オーディオ信号及び着呼信号を音声出力部に対して出力する信号出力手段とを有する送受信装置とから構成する。
【０００８】
無線通信としては、ブルートゥース（登録商標）に準拠した近距離無線通信を用いることが好ましい。また、音声出力部は、頭部装着型スピーカであってもよい。
【０００９】
【発明の実施の形態】
以下、本発明の具体例と示す通話システムについて、図面を参照して詳細に説明する。図１には、本発明の第１の具体例である通話システム１を示す。
【００１０】
この通話システム１は、ヘッドフォン１１を接続する音声出力端子を有しオーディオ信号を再生可能な外部機器１２と、外部機器１２に有線接続されオーディオ信号を受信する送受信装置１３と、携帯型電話機１４とを備え、この携帯型電話機１４と送受信装置１３とを無線通信により接続することにより、外部機器１２からのオーディオ信号を出力するヘッドフォン１１において携帯型電話機１４の着呼が認識できるようにしたシステムである。
【００１１】
本具体例では、特に、無線通信としてブルートゥース（登録商標）に準拠した近距離無線通信を用いるものとする。またここで、外部機器１２としては、コンパクトディスク、ミニディスク、半導体メモリ、テープカセット等の記録媒体に記録されたオーディオ信号を再生可能な携帯型オーディオ再生機器があげられる。図示しないが、この外部機器１２には、外部出力端子が設けられており、再生されたオーディオ信号がこの外部出力端子から出力できるものとする。
【００１２】
続いて、図２に通話システム１の構成を示す。通話システム１における送受信装置１３は、外部機器１２に接続する接続端子１３１と、携帯型電話機１４からブルートゥース通信により送信された着呼信号を受信するブルートゥースモジュール１３２とを備えており、ここで受信した携帯型電話機１４への着呼信号を外部機器１２を介してヘッドフォン１１へ送る。
【００１３】
携帯型電話機１４は、上述したように、ブルートゥース通信により送受信装置１３に対して着呼信号を送信するためのブルートゥースモジュール１４１を備えている。
【００１４】
したがって、通話システム１では、このような構成とすることにより、ブルートゥース通信によって送信された携帯型電話機１４への着呼信号が送受信装置１３を介してヘッドフォン１１に送られる。これにより、ユーザは、外部機器１２等で音楽を聴いていても携帯型電話機１４への着信を逃すことがなくなる。
【００１５】
ここで、ブルートゥースモジュール１３２を備えた送受信装置１３は、図３に示すように、外部機器１２に対して着脱可能であることが好ましい。この場合、携帯型電話機１４に対応したブルートゥースモジュールを備える送受信装置１３を用意することで、外部機器１２においてこの携帯型電話機１４への着呼信号を受信できるようになる。また、図４に示すように、送受信装置１３は、予め外部機器１２に組み込まれた状態で提供されてもよい。
【００１６】
続いて、本発明の第２の具体例として示す通話システム２を図５を用いて説明する。
【００１７】
通話システム２は、ヘッドフォン１１に着呼信号を送信するだけでなく、マイクロフォン２１と、このマイクロフォン２１により入力された音声信号を送信する送信部を設けることによって、通話を可能にしたシステムである。なお、通話システム２において、図１に示す通話システム１と同様の作用効果を有する構成要素に関しては、図１と同一の番号を付し、詳細な説明は省略する。
【００１８】
この第２の具体例では、通話を可能とするために、ヘッドフォン１１の一部にマイクロフォン２１を設ける。ただし、マイクロフォン２１の設置位置は、ヘッドフォン１１或いは送受信装置１３といった位置で、外部音声（ユーザの声）が入力可能な位置であればよい。
【００１９】
また、送受信装置１３は、携帯型電話機１４からブルートゥース通信により送信された着呼信号を受信するとともに、マイクロフォン２１により取得された外部音声信号を、やはりブルートゥース通信により携帯型電話機１４に送信するブルートゥースモジュール１３２ａを備えている。
【００２０】
また、携帯型電話機１４には、ブルートゥース通信により送受信装置１３に対して着呼信号を送信するとともに、マイクロフォン２１により取得された外部音声信号を、やはりブルートゥース通信により受信するブルートゥースモジュール１４１ａを設ける。
【００２１】
したがって、通話システム２は、このような構成を備えることにより、ブルートゥース通信によって送信された携帯型電話機１４への着呼信号が送受信装置１３を介してヘッドフォン１１に送られる。また、マイクロフォン２１から入力された音声信号がブルートゥース通信によって携帯型電話機１４へ送られる。これにより、ユーザは、外部機器１２等で音楽を聴いていても携帯型電話機１４への着信を逃すことがなくなり通話も可能となる。
【００２２】
また、携帯型電話機１４と送受信装置１３とが無線による接続であるため、携帯している機器が接続線で接続されるという煩わしさから解放され、ユーザの自由度が拡がる。
【００２３】
なお、本具体例では、外部機器を携帯型のオーディオ信号再生機器として説明したが、据置型のオーディオセット、カーステレオ等、外部機器の携帯は限定されない。例えば、カーステレオに接続すれば、車内スピーカに携帯型電話機への着呼信号を出力できる。
【００２４】
【発明の効果】
以上詳細に説明したように、本発明に係る通話システムは、スピーカを接続する音声出力端子を有しオーディオ信号を再生可能な外部機器と、着呼信号を無線通信により送信する無線送信手段を有する携帯型電話機と、外部機器に接続する接続手段と無線送信手段から無線通信により送信された着呼信号を受信する無線受信手段とを有し、無線受信手段により受信した携帯型電話機への着呼信号を外部機器を介してスピーカに送る送受信装置とを備えることにより、携帯型電話機への着信を認識可能にする。
【００２５】
また、本発明に係る通話システムは、オーディオ信号を再生可能な外部機器と、着呼信号を無線通信により送信する及び音声信号を無線通信により受信する電話機側無線送受信手段を有する携帯型電話機と、外部音声を入力するマイクロフォンを有する音声出力部と、外部機器において再生されたオーディオ信号を入力するオーディオ信号入力手段と、マイクロフォンから出力された外部音声信号を入力する音声信号入力手段と、無線送受信手段から無線通信により送信された着呼信号を受信する及び外部音声信号を無線通信により無線送受信手段に送信する装置側無線送受信手段と、オーディオ信号及び着呼信号を音声出力部に対して出力する信号出力手段とを有する送受信装置とを備えることにより、外部機器で音楽等を聴いている場合であっても、携帯型電話機への着信を認識可能にするとともに携帯型電話機での通話を可能にする。
【図面の簡単な説明】
【図１】本具体例として示す通話システムの概略を説明する図である。
【図２】上記通話システムを説明する構成図である。
【図３】通話システムの変形例の概略を説明する図である。
【図４】通話システムの変形例の概略を説明する図である。
【図５】本発明の第２の具体例として示す通話システムを説明する図である。
【符号の説明】
１　　　　通話システム
２　　　　通話システム
１１　　　ヘッドフォン
１２　　　外部機器
１３　　　送受信装置
１３１　　接続端子
１３２　　ブルートゥースモジュール
１３２ａ　ブルートゥースモジュール
１４　　　携帯型電話機
１４１　　ブルートゥースモジュール
１４１ａ　ブルートゥースモジュール
【図１】
2004120314.tif 000003
【図２】
2004120314.tif 000004
【図３】
2004120314.tif 000005
【図４】
2004120314.tif 000006
【図５】
2004120314.tif 000007